(57)【特許請求の範囲】
【請求項１】
雌側コネクタが嵌入されるフード部を有し、そのフード部内においてはその奥端面から開口端へ向けて長短２種類の雄端子金具が突出されているとともに、前記雌側コネクタの嵌合方向に視て長い前記雄端子金具が中央位置に集合配置されているとともに短い前記雄端子金具が前記長い雄端子金具の回りを囲むように配置されているコネクタにおいて、
前記フード部の奥端面には、前記長い雄端子金具を取り囲み且つ前記フード部の開口端側へ突出する筒状部が形成されており、
前記筒状部は、その開口寸法を前記フード部の開口寸法よりも小さくすることで、前記雌側ハウジングが前記フード部に斜め姿勢で嵌入したときにその雌側ハウジングの角縁部を前記長い雄端子金具と干渉させずに前記筒状部の突出端縁に突き当てさせるようになっていることを特徴とするコネクタ。
【発明の詳細な説明】
【０００１】
【発明の属する技術分野】
本発明は、コネクタに関するものである。
【０００２】
【従来の技術】
ハウジングに形成したフード部内においてその奥端面から複数本の雄端子金具を突出させ、そのフード部に雌形のコネクタを嵌合させるようにした雄形のコネクタとして、図４及び図５に示すように、幅広で突出長の長い雄端子金具１０１Ｌと幅狭で突出長の短い雄端子金具１０１Ｓとを１つのフード部１０２内に混在させたハイブリッドタイプと称されるものがある。
【０００３】
このようなコネクタ１００が雌形コネクタ１０５と嵌合する際に、まず長い雄端子金具１０１Ｌと雌端子金具（図示せず）との嵌合が行われ、ついで短い雄端子金具１０１Ｓと雌端子金具との嵌合が行われるようになっており、端子金具同士の嵌合に起因する嵌合抵抗の発生時期には長短双方の端子金具１０１Ｌ，１０１Ｓ間で時間差がある。
そのため、もし、フード部１０２を嵌合方向に視たときの長い雄端子金具１０１Ｌの配置が例えば左右いずれか一方に片寄っていると、嵌合の初期に、雌側コネクタ１０５が、その左右両端部のうち嵌合抵抗を受けない側の端部をフード部１０２の奥側へ深く突っ込むような斜め姿勢となり、嵌合操作に支障を来すことになる。
【０００４】
そこで、フード部１０２を嵌合方向に視たときに、長い雄端子金具１０１Ｌを上下左右両方向における中央に集合させて配置するとともに、その周りを囲むように短い雄端子金具１０１Ｓを配置する構造（図４に示す）か、もしくは、短い雄端子金具１０１Ｓを中央に配置するとともにその周囲に長い雄端子金具１０１Ｌを配置する構造（図示せず）が採用される。
【０００５】
【発明が解決しようとする課題】
ところが、雌側コネクタ１０５がフード部１０２内に嵌合されるときには、嵌合抵抗とは無関係に、作業者の手元が狂うことが原因となって雌側コネクタ１０５がフード部１０２に対して斜め姿勢で進入する虞があることから、雌側コネクタ１０５と雄端子金具１０１Ｌ，１０１Ｓとの干渉を回避するためには、フード部１０２の突出長Ｂを長くしてその開口端１０２Ａが雄端子金具１０１Ｌ，１０１Ｓの先端よりもさらに先方に位置するようにする必要がある。
【０００６】
ここで、斜め嵌合された場合における雌側コネクタ１０５の角部１０５Ａの進入領域に着目すると、図５に示すように、雌側コネクタ１０５がフード部１０２の開口縁１０２Ａに当接した状態（最も深く進入した状態）では、フード部１０２の開口縁１０２Ａを直径とする半円１０４（図５に破線で示す）上のいずれかに角部１０５Ａが位置することになる。即ち、角部１０５Ａの進入深さが最も深くなるのは、フード部１０２の開口領域における中央部（図５における上下方向の中央部）となる。
【０００７】
したがって、雌側コネクタ１０５と雄端子金具１０１Ｌ，１０１Ｓの干渉を回避しながらフード部１０２の突出長Ｂを短くするためには、図示はしないが、中央に短い雄端子金具１０１Ｓを配置するとともにその周囲（図５においては上下）に長い雄端子金具１０１Ｌを配置すればよい。このような配置にすれば、上記のように長さの異なる２種類の雄端子金具１０１Ｌ，１０１Ｓの嵌合抵抗発生時期に時間差があることに起因して雌側コネクタ１０５の姿勢が傾むことも防止することができる。
【０００８】
しかしながら、これは、長い雄端子金具１０１Ｌが短い雄端子金具１０１Ｓに比べて本数が十分に多い場合に成立する構造であり、これとは逆に、長い雄端子金具１０１Ｌの本数が少なくて、長い雄端子金具１０１Ｌを中央に配置した図４に示す構造とせざるを得ない場合には、長い雄端子金具１０１Ｌと雌側コネクタ１０５の角部１０５Ａとの干渉を回避するために、フード部１０２の突出長Ｂを相当に長く設定しなければならない。
【０００９】
本願発明は上記事情に鑑みて創案され、フード部内において長い雄端子金具が中央に集合位置されているコネクタにおいて、フード部の突出長さを極力短くしながら、斜め進入された雌側コネクタと雄端子金具との干渉を回避することを目的としている。
【００１０】
【課題を解決するための手段】
請求項１の発明は、雌側コネクタが嵌入されるフード部を有し、そのフード部内においてはその奥端面から開口端へ向けて長短２種類の雄端子金具が突出されているとともに、前記雌側コネクタの嵌合方向に視て長い前記雄端子金具が中央位置に集合配置されているとともに短い前記雄端子金具が前記長い雄端子金具の回りを囲むように配置されているコネクタにおいて、前記フード部の奥端面には、前記長い雄端子金具を取り囲み且つ前記フード部の開口端側へ突出する筒状部が形成されており、前記筒状部は、その開口寸法を前記フード部の開口寸法よりも小さくすることで、前記雌側ハウジングが前記フード部に斜め姿勢で嵌入したときにその雌側ハウジングの角縁部を前記長い雄端子金具と干渉させずに前記筒状部の突出端縁に突き当てさせるようになっている構成とした。
【００１１】
【発明の作用及び効果】
［請求項１の発明］
雌側コネクタの角部と長い雄端子金具との干渉は、筒状部の突出長さを適正に設定することで回避できる。即ち、フード部の突出長さ設定に際しては、雌側コネクタと長い雄端子金具との干渉回避を考慮する必要がないので、フード部の突出長を短くすることが可能である。
【００１２】
【発明の実施の形態】
［実施形態１］
以下、本発明を具体化した実施形態１を図１乃至図３を参照して説明する。
【００１３】
本実施形態のコネクタＭは、前方（図２及び図３の左方）へ突出する略角筒状のフード部１０を有し、このフード部１０内に雌側コネクタＦが進入することで双方のコネクタＭ，Ｆが嵌合されるようになっている。
フード部１０内には、その奥端面１１から前方へ突出する形態で、幅広で長い雄端子金具１２Ｌと幅狭で短い雄端子金具１２Ｓとの長短２種類のものが混在して収容されている。
その配置について説明すると、雌側コネクタＦの嵌合方向に視て（前方からフード部１０を視て）、長い雄端子金具１２Ｌは、フード部１０の上下左右両方向における中央位置に集合して配置され、短い雄端子金具１２Ｓは、その長い雄端子金具１２Ｌの集合配置領域の回りを囲むように配置されている。尚、長い雄端子金具１２Ｌは少ない本数（例えば、本実施形態では４本）であるのに対し、短い雄端子金具１２Ｓは長い雄端子金具１２Ｌに比べて遙かに多い本数（例えば、本実施形態では４４本）となっているため、このような配置が可能となっている。
【００１４】
さらに、フード部１０内においては、その奥端面１１から前方（フード部１０の突出方向と同じ方向）へ突出する筒状部１３が形成されている。この筒状部１３は、フード部１０と同様に略角筒形をなし、その上下両壁部及び左右両側壁部は、夫々、フード部１０の上下両壁部及び左右両側壁部と平行をなしている。また、雌側コネクタＦの嵌合方向に視たときに、筒状部１３は、長い雄端子金具１２Ｌのみを取り囲むような形態とされている。したがって、筒状部１３の上下左右各壁部とフード部１０の上下左右各壁部との間には、短い雄端子金具１２Ｓが存在している。さらに、筒状部１３の突出端は、雌側コネクタＦの嵌合方向においてフード部１０の開口端１０Ａ（突出端）と同じ位置とされている。
【００１５】
筒状部１３の開口寸法と突出寸法については、次のように設定されている。即ち、筒状部１３の上下方向の開口寸法１３ａは、その左右方向の開口寸法１３ｂよりも小さい。また、雌側コネクタＦの嵌合方向における筒状部１３の突出端１３Ａと長い雄端子金具１２Ｌの突出端との間の寸法Ｓは、筒状部１３の上下方向の開口寸法１３ａ（＝左右方向の開口寸法１３ｂよりも小さい寸法）の１／２の寸法よりも長く設定されている。
【００１６】
尚、雌側コネクタＦには、図示はしないが、筒状部１３との干渉を回避するための凹部が形成されている。
かかる本実施形態のコネクタＭに対して雌側コネクタＦが水平面上において（図２の紙面に対して平行のままで）斜め姿勢となり、その左前端の角縁部Ｆａが長い雄端子金具１２Ｌに向かって接近した場合（図２を参照）には、筒状部１３の上下方向の開口寸法１３ａがフード部１０の上下方向の開口寸法１０ａ（雌側コネクタＦの厚さ寸法）よりも小さいことから、その左前の角縁部Ｆａが筒状部１３の突出端縁１３Ａの上下両縁に突き当たることになり、したがって、その角縁部Ｆａが筒状部１３の内部へ進入することはない。よって、雌側コネクタＦが長い雄端子金具１２Ｌと干渉することはない。
【００１７】
また、雌側コネクタＦがコネクタＭに対して上下方向に姿勢を傾けた状態で、その上下いずれかの角縁部が長い雄端子金具１２Ｌに接近した場合にも、筒状部１３の左右方向の開口寸法１３ｂがフード部１０の左右方向の開口寸法１０ｂ（即ち、雌側コネクタＦの左右幅寸法）よりも小さいことから、上記と同様に、その角縁部が筒状部１３の突出端縁１３Ａの左右両縁に突き当たることになり、したがって、その角縁部が筒状部１３の内部へ進入することはない。よって、この場合も、雌側コネクタＦが長い雄端子金具１２Ｌと干渉しない。
【００１８】
さらに、雌側コネクタＦがフード部１０に対して上下左右両方向に傾いた場合には、図３に示すように、雌側コネクタＦの前端面におけるいずれかの角部Ｆｂが筒状部１３内に進入することが考えられる。しかしながら、筒状部１３の開口の上下方向の開口寸法１３ａ，１３ｂのうち、小さい側である上下方向の開口寸法１３ａは、その開口縁１３Ａから長い雄端子金具１２Ｌまでの寸法Ｓの２倍の寸法よりも小さく設定されているので、角部Ｆｂが最も深く筒状部１３内に進入した場合（図３に示す場合）でも、その角部Ｆｂは長い雄端子金具１２Ｌまでは届かない。したがって、この場合も、雌側コネクタＦの角部Ｆｂと長い雄端子金具１２Ｌとが干渉することはない。
【００１９】
このように本実施形態においては、雌側コネクタＦの角部Ｆｂと長い雄端子金具１２Ｌとの干渉は、筒状部１３の開口寸法１３ａ，１３ｂと、その開口縁から長い雄端子金具１２Ｌまでの距離Ｓとを考慮して筒状部１３の突出長さを適正に設定することで回避できる。即ち、フード部１０の突出長さ設定に際しては、雌側コネクタＦと長い雄端子金具１２Ｌとの干渉回避を考慮する必要がないのであり、したがって、筒状部１３を設けずにフード部１０の突出長を長くすることだけで雌側コネクタＦと長い雄端子金具１２Ｌとの干渉を回避する場合に比べると、フード部１０の突出長を短く設定することが可能である。
【００２０】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では筒状部が長い雄端子金具の全てを取り囲むようにしたが、本発明によれば、長い端子金具の集合配置領域のうちの中央部分だけを取り囲む形態としてもよく、また、長い雄端子金具の全てとそれに近接する短い雄端子金具の一部を囲む形態としてもよい。
【００２１】
（２）上記実施形態では長い雄端子金具と短い雄端子金具の２種類のみを備えてコネクタについて説明したが、本発明によれば、この長短２種類の雄端子金具の中間長さの雄端子金具を備えるコネクタにも適用することができる。
（３）上記実施形態では筒状部がフード部の開口端と同じ位置まで突出するようにしたが、本発明によれば、雌側コネクタの嵌合方向に視て筒状部の突出端がフード部の開口端よりも奥側に位置するようにしてもよく、逆に、フード部の開口端よりもさらに先方へ突き出すようにしてもよい。
【図面の簡単な説明】
【図１】実施形態１の正面図
【図２】雌側コネクタが斜め嵌合されようとした状態を示す一部切欠平面図
【図３】断面図
【図４】従来例の正面図
【図５】従来例の断面図
【符号の説明】
Ｆ…雌側コネクタ
Ｍ…コネクタ
１０…フード部
１０Ａ…フード部の開口縁
１１…フード部の奥端面
１２Ｌ…長い雄端子金具
１２Ｓ…短い雄端子金具
１３…筒状部
【図１】
0003582642.tif 000002
【図２】
0003582642.tif 000003
【図３】
0003582642.tif 000004
【図４】
0003582642.tif 000005
【図５】
0003582642.tif 000006